(57)【要約】【課題】隣で遊技する遊技客の邪魔にならない構造で、表示部を見易くする。【解決手段】モニター７の表示部６を、例えば上下２本のボス８により台間玉貸機１００の本体部１００Ａ側の表示部６Ａが図面右方向に回動してフレーム部材５の表面から突出可能に取り付ける。例えば、パネル状に形成した表示部６は左側の上下両面に一対の対向するボス８を有し、その上下一対のボス８を、本体部１００Ａから前方に堅固に突出形成されたフレーム部材５の装着用凹部９の上下両面左側部分に対向設置した一対の凹部１０に嵌め込み、上下一対の対向するボス８を支点として水平面内で、少なくとも３０度、最大９０度だけ回動し、表示部６が所望の角度で設置できるようにした。【選択図】　　　　図１
2004081609.tif 000002
【特許請求の範囲】
【請求項１】
遊技台に並設される本体部と、本体部前方に突出形成されたフレーム部材と、フレーム部材の少なくとも左右何れかの面に設けられて遊技台の情報などを表示するための表示部とを備えて構成されるモニター付台間機において、表示部がフレーム部材の先端側に回動可能に軸支され、表示部の本体部側がフレーム部材から突出可能であることを特徴とするモニター付台間機。
【請求項２】
表示部を回動可能に軸支する軸支部に爪車機構が設けられると共に、９０度以下の任意の範囲で表示部が回動可能に設けられたことを特徴とする請求項１記載のモニター付台間機。
【請求項３】
表示部用操作スイッチ類がフレーム部材に設けられたことを特徴とする請求項１または２記載のモニター付台間機。
【請求項４】
フレーム部材より上方または下方に突設した回動用操作突起が表示部に設けられたことを特徴とする請求項１〜３何れかに記載のモニター付台間機。
【発明の詳細な説明】
【０００１】
【発明の属する技術分野】
この発明は、遊技ホールにおいてパチンコ玉や遊技用メダルを遊技客に貸し出すためにパチンコ台、スロットマシンなどの遊技機に併設される台間機に係わるものである。
【０００２】
【従来の技術】
この種の台間機としては、例えば図３に示したようにパチンコ機２００それぞれの左側に設置され、紙幣挿入口１、硬貨挿入口２、カード挿入口３などに正規の貨幣やプリペイドカード、会員カードなどが挿入されたときに、右側に位置するパチンコ機２００の玉受皿５１に玉ノズル４を介して図示しないパチンコ玉を所定数払い出し、右側のパチンコ機２００で遊技できるように構成した台間玉貸機１００が周知である。
【０００３】
そして、最近の台間玉貸機１００においては、台間玉貸機１００の本体部１００Ａから前方に突出形成されたフレーム部材５の右側の面に液晶などからなる表示部６を有するモニター７を備え、その表示部６にパチンコ機２００の情報、例えば大当たりとなる確率、前回大当たりになった日時など、さらにはテレビ画像なども図示しない操作ボタンなどを操作することにより、適宜表示できるようになっている。
【０００４】
なお、前方に突出形成したフレーム部材５の右面に表示部６をただ単に設けるようにしただけでは、パチンコ機２００前方の図示しない椅子に座って遊技する遊技客にとって表示部６は遊技客の左側前方に位置し、しかも正対しないために極めて見難い。そのため、モニター７の先端側が仮想線で示すように図面左方向に回動するように構成した台間玉貸機１００も提案されている。
【０００５】
【発明が解決しようとする課題】
しかし、モニターの先端側を図面左方向に回動するように構成した台間玉貸機においては、台間玉貸機の左側のパチンコ機で遊技する遊技客の邪魔になると云った欠点がある。そのため、隣の遊技機で遊技する遊技客の邪魔にならない構造で、モニターを見易くする必要があり、それが解決すべき課題であった。
【０００６】
【課題を解決するための手段】
本発明は、上記従来技術の課題を解決するため、遊技台に並設される本体部と、本体部前方に突出形成されたフレーム部材と、フレーム部材の少なくとも左右何れかの面に設けられて遊技台の情報などを表示するための表示部とを備えて構成されるモニター付台間機において、表示部をフレーム部材の先端側に回動可能に軸支し、表示部の本体部側がフレーム部材から突出可能にした第１の構成のモニター付台間機と、
【０００７】
前記第１の構成のモニター付台間機において、表示部を回動可能に軸支する軸支部に爪車機構を設けると共に、９０度以下の任意の範囲で表示部が回動可能にした第２の構成のモニター付台間機と、
【０００８】
前記第１または第２の構成のモニター付台間機において、表示部用操作スイッチ類をフレーム部材に設けるようにした第３の構成のモニター付台間機と、
【０００９】
前記第１〜第３何れかの構成のモニター付台間機において、フレーム部材より上方または下方に突設した回動用操作突起を表示部に設けるようにした第４の構成のモニター付台間機と、
を提供するものである。
【００１０】
【発明の実施の形態】
以下、本発明の一実施形態を、パチンコ機の左側に設置される台間玉貸機１００を例に挙げて、主に図１に基づいて詳細に説明する。なお、理解を容易にするため、この図１においても前記図３において説明した部分と同様の機能を有する部分には、同一の符号を付した。
【００１１】
図１に示したように、本発明の台間玉貸機１００においてもモニター７が設けられている。そして、本発明の台間玉貸機１００におけるモニター７の表示部６は、例えば上下２本のボス８により本体部１００Ａ側の表示部６Ａが矢印方向に回動してフレーム部材５の表面から突出可能に取り付けられている。
【００１２】
すなわち、モニター７の表示部６はパネル状に形成された左側の上下両面に一対の対向するボス８を有し、その上下一対のボス８が、台間玉貸機１００の本体部１００Ａから前方に堅固に突出形成されたフレーム部材５の右面に設けられた装着用凹部９の上下両面左側部分に対向設置された一対の凹部１０に嵌め込まれて、上下一対の対向するボス８を支点として水平面内で、少なくとも３０度、最大９０度だけ回動し、表示部６を所望の角度で設置できるようになっている。
【００１３】
また、表示部６の前面右側上部には操作突起１１がフレーム部材５より上方に突出する状態に設けられている。そのため、表示部６の本体部１００Ａ側の表示部６Ａは、操作突起１１に指をかけて簡単に手前側に引き出せる。
【００１４】
また、表示部６の下方のフレーム部材前面には、電源スイッチ、テンキー、玉貸し用ボタンスイッチ、払い戻し用ボタンスイッチ、テレビ用各種スイッチなどの操作スイッチ類１２と、イヤホンジャック１３が設けられている。
【００１５】
そして、紙幣挿入口１、硬貨挿入口２に正規の貨幣が挿入されるか、カード挿入口３にプリペイドカードが挿入されたときには玉ノズル４を介して玉受皿５１に所要数のパチンコ玉を払い出し、カード挿入口３に図示しない会員カードが挿入され、認証番号などがテンキーにより正しく入力されたときにも、カード挿入口３に挿入された会員カードを有効にして玉ノズル４を介して玉受皿５１に所要数のパチンコ玉を払い出すことができるようになっている（図３参照）。
【００１６】
また、モニター７の表示部６において、▲１▼右側に設置されたパチンコ機２００の情報を見る、▲２▼テレビ画像を映し出す、ことなどもできるようになっている。さらに、イヤホンジャック１３を利用することにより、他の遊技客の遊技を邪魔することなく、テレビ放送を楽しむことなどもできるようになっている。
【００１７】
したがって、上記構成の台間玉貸機１００においては、表示部６の本体部１００Ａ側の表示部６Ａをフレーム部材５の表面部分から突出するように回動しても、左隣のパチンコ機２００の側に突出移動する部材は全くないので、左隣のパチンコ機２００で遊技する遊技客の邪魔をすることなく、表示部６に所望のデータを表示したり、テレビ画像などを表示することができる。
【００１８】
また、電源スイッチ、テンキーなどの操作スイッチ類１２、イヤホンジャック１３などは回動可能に設けた表示部６ではなく、本体部１００Ａから前方に堅固に突出形成したフレーム部材５に設けてあるので、操作スイッチ類１２を操作したり、イヤホンジャック１３に対する挿し込み／抜き取り操作を行っても、表示部６の取付位置（角度）が変ることはない。
【００１９】
なお、本発明は上記実施形態に限定されるものではないので、特許請求の範囲に記載の趣旨から逸脱しない範囲で各種の変形実施が可能である。
【００２０】
例えば、図２に示したようにボス８の一部を太く形成し、その太く設けた周囲に凹凸８Ａを設け、フレーム部材５には先端側の突起部１４Ａがボス８の側に付勢されてボス８の凹凸８Ａの凹部に嵌る爪部材１４を設けて軸支部に爪車機構を取り付け、ボス８を支点として表示部６を回動するときに爪部材１４から受ける回動抵抗が規則的に変化し、カチカチと心地良い回動操作が行えるように構成する。そして、軸支部に爪車機構を設けることにより、９０度以下の所望の角度に設定した表示部６の安定感が増す、と云う作用効果も得られる。
【００２１】
また、操作突起１１は、表示部６の前面右側下部にフレーム部材５から下方に突出するように設けることも可能である。
【００２２】
また、モニター７の表示部６は液晶を利用したものに限られるものではなく、プラズマ表示装置、有機ＥＬ表示装置などを利用したものであっても良い。そして、表示部６が有機ＥＬ表示装置などを利用して１０ｍｍ以下の厚さに形成できるときには、フレーム部材５の両面に表示部６を設けることも可能である。
【００２３】
また、本発明の台間機は、スロットマシンに並設され、スロットマシンに遊技用のメダルを貸し出す台間メダル貸機とすることも当然可能である。
【００２４】
【発明の効果】
この発明によれば、隣で遊技する遊技客に迷惑をかけることなく、表示部に所要の情報や映像などを表示することができる。また、爪車機構を設けた台間機にあっては、表示部を回動するときの抵抗が規則的に変化し、カチカチと心地良い回動操作が行え、且つ、９０度以下の所望の角度に設定した表示部の安定感が増す、と云う作用効果も得られる。また、表示用操作スイッチ類をフレーム部材に設けるようにした台間機にあっては、表示用操作スイッチ類を操作しても、表示部の取付位置（角度）は変ることなく、一度設定した見易い状態が維持される。
【図面の簡単な説明】
【図１】本発明の台間玉貸機の説明図である。
【図２】変形実施を示す説明図である。
【図３】従来技術の説明図である。
【符号の説明】
１　紙幣挿入口
２　硬貨挿入口
３　カード挿入口
４　玉ノズル
５　フレーム部材
６　表示部
６Ａ　本体部側の表示部
７　モニター
８　ボス
８Ａ　凹凸
９　装着用凹部
１０　螺子穴
１１　操作突起
１２　操作スイッチ類
１３　イヤホンジャック
１４　爪部材
１４Ａ　突起部
５１　玉受皿
１００Ａ　本体部
１００　台間玉貸機
２００　パチンコ機
【図１】
2004081609.tif 000003
【図２】
2004081609.tif 000004
【図３】
2004081609.tif 000005